(57)【要約】【課題】配管の屈曲部に対するカバーによる前記屈曲部の化粧をより効果的なものとする。【解決手段】断熱材Ｉによって被覆された配管Ｐの屈曲部Ｐａに取り付けられて屈曲部Ｐａを覆う合成樹脂製のカバーＣである。屈曲部Ｐａの屈曲内側Ｐｄに位置される雄側延出部４と雌側延出部５とを留め合わせることでエルボ状になるように構成されている。雌側延出部５に、雄側延出部４を挿通可能とする挿通路５ｂを、雌側延出部５の内面５ｃ側に付設された挿通路形成板５ｄによって雌側延出部５の内面５ｃとこの挿通路形成板５ｄとの間に備えさせている。雌側延出部５の端末５’側に位置される挿通路５ｂの入り口５ｆに、挿通路５ｂへの雄側延出部４の任意の挿通位置で雄側延出部４に多段状に形成された雄側係合爪４ｅのいずれか一つに係合される雌側係合爪５ｎを、挿通路形成板５ｄの一部によって形成させてなる。【選択図】図１
2020133711.tif 000002
【特許請求の範囲】
【請求項１】
断熱材によって被覆された配管の屈曲部に取り付けられて前記屈曲部を覆う合成樹脂製のカバーであって、
前記屈曲部の屈曲内側に位置される雄側延出部と雌側延出部とを留め合わせることでエルボ状になるように構成されていると共に、
前記雌側延出部に、
前記雄側延出部を挿通可能とする挿通路を、前記雌側延出部の内面側に付設された挿通路形成板によって前記雌側延出部の前記内面とこの挿通路形成板との間に備えさせており、
前記雌側延出部の端末側に位置される前記挿通路の入り口に、前記挿通路への前記雄側延出部の任意の挿通位置で前記雄側延出部に多段状に形成された雄側係合爪のいずれか一つに係合される雌側係合爪を、前記挿通路形成板の一部によって形成させてなる、配管用カバー。
【請求項２】
前記挿通路の幅が、前記挿通路の出口側に近づくに連れて漸減するようにしてなる、請求項１に記載の配管用カバー。
【請求項３】
前記挿通路の出口に、前記雄側係合爪のいずれか一つに係合される雌側係合爪を、前記挿通路形成板の一部によって形成させてなる、請求項１又は請求項２に記載の配管用カバー。
【発明の詳細な説明】
【技術分野】
【０００１】
この発明は、断熱材によって被覆された配管における前記断熱材の外面を覆うように前記配管に取り付けられるカバーのうち、前記配管の屈曲部に取り付けられて前記屈曲部を覆う配管用カバーに関する。
【背景技術】
【０００２】
断熱材によって被覆された配管、典型的には、空調や温調用の配管における屈曲部に取り付けられて前記屈曲部を覆うカバーとして、特許文献１及び２に示されるものがある。
【０００３】
特許文献１及び２のものは、エルボーカバーの屈曲内側において左右に分離されている。この分離箇所の一方には係合孔が形成され、他方には、この係合孔に挿し込まれて係合される舌片が形成されており、配管の屈曲部にエルボーカバーをかぶせた状態から係合孔に舌片を挿入・係合させることで、配管の屈曲部を外装するようにしている。
【先行技術文献】
【特許文献】
【０００４】
【特許文献１】実開昭６１−１７３８９４号公報
【特許文献２】実開昭６３−１１５９９０号公報
【発明の概要】
【発明が解決しようとする課題】
【０００５】
配管の屈曲部の外径は、配管を被覆する断熱材の厚さにより変化するところ、特許文献１及び２のものにあっては、前記係合孔への舌片の挿入・係合位置が可変可能であることから、この変化に追随可能である。しかし、係合孔への舌片の挿入量にかかわらずエルボーカバーの屈曲内側において舌片を露出させてしまうものであった。
【０００６】
この発明が解決しようとする主たる問題点は、この種の配管の屈曲部に対するカバーによる前記屈曲部の化粧がより効果的なものとなるようにする点にある。
【課題を解決するための手段】
【０００７】
前記課題を達成するために、この発明にあっては、配管用カバーを、断熱材によって被覆された配管の屈曲部に取り付けられて前記屈曲部を覆う合成樹脂製のカバーであって、
前記屈曲部の屈曲内側に位置される雄側延出部と雌側延出部とを留め合わせることでエルボ状になるように構成されていると共に、
前記雌側延出部に、
前記雄側延出部を挿通可能とする挿通路を、前記雌側延出部の内面側に付設された挿通路形成板によって前記雌側延出部の前記内面とこの挿通路形成板との間に備えさせており、
前記雌側延出部の端末側に位置される前記挿通路の入り口に、前記挿通路への前記雄側延出部の任意の挿通位置で前記雄側延出部に多段状に形成された雄側係合爪のいずれか一つに係合される雌側係合爪を、前記挿通路形成板の一部によって形成させてなる、ものとした。
【０００８】
配管の屈曲部の外径は、配管を被覆する断熱材の厚さにより変化する。かかる配管用カバーによれば、前記挿通路への雄側延出部の挿し込み量、すなわち、複数の雄側係合爪のうちの前記雌側係合爪に係合される雄側係合爪を変えることで、エルボ状をなす配管用カバーの径を前記屈曲部の外径に一定の範囲で適合させることができる。雄側延出部と雌側延出部とは、雌側延出部の内面側に形成された挿通路に雄側延出部を挿通することで留め合わされることから、雄側延出部は雌側延出部によって覆い隠される。これにより、前記屈曲部において、前記断熱材を配管用カバーによって効果的に化粧できる。
【０００９】
前記挿通路の幅が、前記挿通路の出口側に近づくに連れて漸減するようにしておくことが、この発明の態様の一つとされる。
【００１０】
また、前記挿通路の出口に、前記雄側係合爪のいずれか一つに係合される雌側係合爪を、前記挿通路形成板の一部によって形成させるようにすることが、この発明の態様の一つとされる。
【発明の効果】
【００１１】
この発明によれば、この種の配管の屈曲部に対するカバーによる前記屈曲部の化粧をより効果的なものとすることができる。
【図面の簡単な説明】
【００１２】
【図１】図１は、この発明の一実施の形態にかかる配管用カバーの斜視構成図であり、配管の屈曲部に取り付ける直前の状態を示している。
【図２】図２は、前記配管用カバーを配管の屈曲部に取り付けた状態の斜視図である。
【図３】図３は、図２の状態の要部断面図である。
【図４】図４は、前記配管用カバーの側面構成図である。
【図５】図５は、前記配管用カバーの要部斜視構成図である。
【図６】図６は、前記配管用カバーの要部断面構成図である。
【図７】図７は、前記配管用カバーの断面構成図であり、雄側延出部を雌側延出部に係合させた様子を示している。
【図８】図８は、前記配管用カバーの要部斜視構成図であり、雄側延出部を雌側延出部に係合させた状態を示している。
【図９】図７は、前記配管用カバーの要部断面構成図であり、雄側延出部を雌側延出部に係合させた状態を示している。
【発明を実施するための形態】
【００１３】
以下、図１〜図９に基づいて、この発明の典型的な実施の形態について、説明する。この実施の形態にかかる配管用カバーＣは、断熱材Ｉによって被覆された配管Ｐにおける前記断熱材Ｉの外面を覆うように前記配管Ｐに取り付けられるカバーＣ、Ｃ’のうち、前記配管Ｐの屈曲部Ｐａに取り付けられて前記屈曲部Ｐａを覆うものである。
【００１４】
すなわち、この実施の形態にかかる配管用カバーＣは、図１及び図２に示されるように、配管Ｐのストレート部Ｐｂを覆う配管用カバーＣ’と一緒に、断熱材Ｉによって被覆された配管Ｐの外面を覆うものである。
【００１５】
かかる配管用カバーＣは、典型的には、難燃性の合成樹脂製のシートを加工することで構成される。
【００１６】
また、かかる配管用カバーＣは、前記配管Ｐへの取付状態において、エルボ状をなすように構成されている。すなわち、かかる配管用カバーＣは、前記取付状態において、側面視Ｌ字状の管状を呈し、仮想の円の円弧の一部に沿うように湾曲した外周部分１と、外周部分１の内側に位置される内周部分２と、両者間に位置して前記配管Ｐの屈曲部Ｐａの側部を覆う左右の中間部分３とを有する。
【００１７】
また、かかる配管用カバーＣは、前記取付状態において前記屈曲部Ｐａの屈曲内側Ｐｄに位置される内周部分２において、左右に分離されている。そして、分離された内周部分２の一方が雄側延出部４となり、分離された内周部分２の他方が雌側延出部５となっている。そして、かかる雄側延出部４と雌側延出部５とを留め合わせることでエルボ状になるように構成されている。
【００１８】
具体的には、配管用カバーＣの雄側延出部４と雌側延出部５との間を拡げるように配管用カバーＣを弾性変形させて、前記配管Ｐの屈曲部Ｐａの屈曲外側Ｐｃに前記外周部分１が接し、屈曲内側Ｐｄに前記内周部分２が位置されるように、前記屈曲部Ｐａに配管用カバーＣをかぶせる。具体的には、前記屈曲部Ｐａに前記のように配管用カバーＣをかぶせた状態から、配管用カバーＣの径を拡げる向きに配管用カバーＣを弾性変形させて、雌側延出部５の後述する挿通路５ｂに雄側延出部４を挿し込めるように操作し、この後、配管用カバーＣの径を狭めながらかかる挿通路５ｂに雄側延出部４を挿し込むことで雄側延出部４と雌側延出部５とが係合・留め合わされるようになっている。
【００１９】
雄側延出部４は、前記内周部分２の一部となる基部４ａと、この基部４ａから延び出す舌片４ｃとから構成されている。基部４ａは、前記屈曲部Ｐａの側部を覆う配管用カバーＣの中間部分３に続くように形成されており、端末４’に近づくに連れて幅を漸減させるように構成されている。舌片４ｃは基部４ａの終端４ｂの幅よりも幅を小さくする帯状を呈し、一端を基部４ａの終端４ｂの中央に一体化させてこの終端４ｂから延び出している。この舌片４ｃの他端が雄側延出部４の端末４’となっている。
【００２０】
かかる雄側延出部４の内面４ｄ（前記断熱材Ｉに接する側の面）に、雄側延出部４の延び出し方向において多段状をなすように複数の雄側係合爪４ｅが形成されている。図示の例では、細長い基板４ｆの一面に、この基板４ｆの幅方向に沿ったリブ状をなす雄側係合爪４ｅをこの基板４ｆの長さ方向において隣り合う雄側係合爪４ｅとの間に間隔を開けて複数形成させてなる合成樹脂製の係合爪構成部材４ｇを、雄側延出部４を構成する舌片４ｃの内面４ｄに止着させることで、雄側延出部４の内面４ｄに、雄側延出部４の延び出し方向において多段状をなすように複数の雄側係合爪４ｅを形成させている。図示の例では、係合爪構成部材４ｇは、前記舌片４ｃと実質的に等しい幅を持ち、舌片４ｃの内側においては、前記基板４ｆが舌片４ｃからはみ出さないように舌片４ｃに沿って止着されている。また、係合爪構成部材４ｇは、前記端末４’としての舌片４ｃの終端との間に間隔を開けた位置に基板４ｆの一方端を位置させると共に、基部６の終端４ｂに基板４ｆの他方端を位置させるように、雄側延出部４の内面４ｄに止着されている。かかる止着は典型的には、係合爪構成部材４ｇの基板４ｆの他面を雄側延出部４の内面４ｄに接着あるいは溶着してなす。図示の例ではまた、前記基板４ｆの一方端側において、前記端末４’としての舌片４ｃの終端がやや内側に折り曲げられており、このように形成された折り曲げ部４ｈによって雌側延出部５の後述の挿通路５ｂにその入り口側から舌片４ｃを差し込みやすくしている。
【００２１】
前記雌側延出部５は、前記内周部分２の一部となる基部５ａに、前記雄側延出部４の舌片４ｃを挿通可能とする挿通路５ｂを、前記雌側延出部５を構成する前記基部５ａの内面５ｃ側に付設された挿通路形成板５ｄによって前記雌側延出部５の前記基部５ａの前記内面５ｃとこの挿通路形成板５ｄとの間に備えさせてなる。基部５ａは、前記屈曲部Ｐａの側部を覆う配管用カバーＣの中間部分３に続くように形成されており、端末５’に近づくに連れて幅を漸減させるように構成されている。
【００２２】
前記挿通路５ｂは、雌側延出部５の端末５’、つまり、前記基部５ａの終端５ｅ側に位置される入り口５ｆと、前記中間部分３側に位置される出口５ｇとを備えたトンネル状を呈している。
【００２３】
図示の例では、前記挿通路形成板５ｄは、チャンネル状に成形した合成樹脂製のシートによって構成されている。前記挿通路形成板５ｄは、典型的には、配管用カバーＣを構成する前記合成樹脂製のシートと同一の合成樹脂製シートから構成される。前記挿通路形成板５ｄは、中央部５ｈと、左右の耳部５ｉと、中央部５ｈと耳部５ｉとの間の段差部５ｊとを備えている。左右の耳部５ｉをそれぞれ前記雌側延出部５の内面５ｃとしての基部５ａの内面に止着することで、前記雌側延出部５の内面５ｃとしての基部５ａの内面と前記中央部５ｈとの間に前記挿通路５ｂを形成させるようになっている。かかる止着は典型的には溶着によってなされる。
【００２４】
図示の例では、前記挿通路形成板５ｄの前記入り口５ｆを構成する端部は、雌側延出部５の端末５’としての前記基部５ａの終端５ｅよりも中間部３側に位置し、この端部と端末５’との間に間隔５ｋが形成されている。図示の例では、この間隔５ｋ部分が、雌側延出部５の端末５’としての前記基部５ａの終端５ｅと実質的に平行な折り曲げ線によって頂部を形成させるように折り曲げられており、この頂部によって指掛け部５ｍを形成させている。図示の例では、この指掛け部５ｍを利用して、前記屈曲部Ｐａに前記のように配管用カバーＣをかぶせた状態から、配管用カバーＣの径を拡げる向きに配管用カバーＣを弾性変形させて、雌側延出部５の挿通路５ｂに雄側延出部４を挿し込めるようにする操作が行いやすくなっている。
【００２５】
また、この実施の形態にあっては、前記挿通路５ｂの幅は、前記挿通路５ｂの出口５ｇ側に近づくに連れて漸減するようになっている。図示の例では、挿通路形成板５ｄの左右の段差部５ｊ間の距離が入り口５ｆ側で最も広く、そこから出口５ｇ側に近づくに連れて漸減するようになっている。これにより、この実施の形態にあっては、挿通路５ｂに雄側延出部４の舌片４ｃを挿通し易く、また、挿通完了状態においては、挿通された舌片４ｃを挿通路５ｂ内でガタつき少なく保持できるようになっている。
【００２６】
また、この実施の形態にあっては、前記雌側延出部５の端末５’側に位置される前記挿通路５ｂの入り口５ｆに、前記挿通路５ｂへの前記雄側延出部４の任意の挿通位置で前記雄側延出部４に多段状に形成された雄側係合爪４ｅのいずれか一つに係合される雌側係合爪５ｎを、前記挿通路形成板５ｄの一部によって形成させている。
【００２７】
図示の例では、前記挿通路形成板５ｄにおける入り口５ｆ側の端部において、前記中央部５ｈの左右に切り込み５ｏを設けると共に、この中央部５ｈにおける左右の切り込み５ｏ間に位置される部分を基部５ａの内面側に向けて折り曲げて立ち上げることで前記雌側係合爪５ｎを形成させている。雌側係合爪５ｎの先端と雌側延出部５の内面５ｃとしての基部５ａの内面との間の距離は前記雄側延出部４の舌片４ｃの厚さ、つまり、雄側延出部４の外面４ｉと雄側係合爪４ｅの先端との間の距離よりもやや小さくなっている。これにより、挿通路５ｂに雄側延出部４の舌片４ｃを雌側係合爪５ｎ及び雄側係合爪４ｅの双方又はいずれか一方を弾性変形させながら挿し込み可能で、かつ、差し込みを止めた位置で雄側延出部４に多段状に形成された雄側係合爪４ｅのいずれか一つに雌側係合爪５ｎを、挿通路５ｂから舌片４ｃが抜け出さないように係合可能となっている。
【００２８】
また、この実施の形態にあっては、前記挿通路５ｂの出口５ｇに、前記雄側係合爪４ｅのいずれか一つに係合される雌側係合爪５ｐを、前記挿通路形成板５ｄの一部によって形成させている。図示の例では、前記挿通路形成板５ｄにおける出口５ｇ側の端部において、前記中央部５ｈを基部５ａの内面側に向けて折り曲げて立ち上げるように変形させることで前記雌側係合爪５ｐを形成させている。この雌側係合爪５ｐの先端と雌側延出部５の内面５ｃとしての基部５ａの内面との間の距離は前記雄側延出部４の舌片４ｃの前記厚さよりもやや小さくなっている。これにより、挿通路５ｂの出口５ｇ側においても、この挿通路５ｂに挿通された雄側延出部４に多段状に形成された雄側係合爪４ｅのいずれか一つに雌側係合爪５ｐを係合させることができるようになっている。
【００２９】
配管Ｐの屈曲部Ｐａの外径は、配管Ｐを被覆する断熱材Ｉの厚さにより変化する。この実施の形態にかかる配管用カバーＣによれば、前記挿通路５ｂへの雄側延出部４の挿し込み量、すなわち、複数の雄側係合爪４ｅのうちの前記雌側係合爪５ｎに係合される雄側係合爪４ｅを変えることで、エルボ状をなす配管用カバーＣの径を前記屈曲部Ｐａの外径に一定の範囲で適合させることができる。雄側延出部４と雌側延出部５とは、雌側延出部５の内面５ｃ側に形成された挿通路５ｂに雄側延出部４を挿通することで留め合わされることから、雄側延出部４は雌側延出部５によって覆い隠される。これにより、前記屈曲部Ｐａにおいて、前記断熱材Ｉを配管用カバーＣによって効果的に化粧できる。
【００３０】
なお、当然のことながら、本発明は以上に説明した実施態様に限定されるものではなく、本発明の目的を達成し得るすべての実施態様を含むものである。
【符号の説明】
【００３１】
Ｉ  断熱材
Ｐ  配管
Ｐａ  屈曲部
Ｐｄ  屈曲内側
Ｃ  カバー
４  雄側延出部
４ｅ  雄側係合爪
５  雌側延出部
５’  端末
５ｂ  挿通路
５ｄ  挿通路形成板
５ｆ  入り口
５ｎ  雌側係合爪
【図１】
2020133711.tif 000003
【図２】
2020133711.tif 000004
【図３】
2020133711.tif 000005
【図４】
2020133711.tif 000006
【図５】
2020133711.tif 000007
【図６】
2020133711.tif 000008
【図７】
2020133711.tif 000009
【図８】
2020133711.tif 000010
【図９】
2020133711.tif 000011